(57)【要約】  容器（１１）用の蓋またはクロージャ（１０）、およびそれから形成される蓋またはクロージャの組立体（３０）。組立体（３０）は、蓋（１０）を容器（１１）に固定するための隆起した周縁のリム（１２）によって囲まれる実質的に平らな基部（１３）が内部にあるキャビティ（２１）を有する蓋（１０）を備える。蓋の基部（１３）はその上に、基部（１３）の上に隆起しかつキャビティ（２１）に収容される品物（２０）の支持を形成する相互接続リブ（１４〜１９）の格子を有する。組立体（３０）は、リム（１２）に固定される脱着可能シール（２２）によって覆われる。
2010511574.tif 000002
【特許請求の範囲】
【請求項１】
容器用の蓋またはクロージャであって、前記蓋は、容器に前記蓋を固定するための隆起した周縁のリムによって囲まれる実質的に平らな基部があるキャビティを有し、前記蓋の前記基部がその上に、前記基部の上に隆起しかつ前記キャビティに収容される品物の支持を形成する相互接続リブの格子を上に有し、前記キャビティが、使用のとき、前記リムに固定される脱着可能シールによって覆われる、蓋またはクロージャ。
【請求項２】
前記蓋が円形であり、前記リブが相互接続される円周方向リブおよび径方向リブを備える、請求項１に記載の蓋。
【請求項３】
前記リブのいくつかが、前記リブのその他とは異なる高さである、請求項１または２に記載の蓋。
【請求項４】
前記円周方向リブが、前記径方向リブより高さが高い、請求項３に記載の蓋。
【請求項５】
前記蓋が、直立中央突起を備える、請求項２から４のいずれか一項に記載の蓋。
【請求項６】
前記中央突起が、前記周縁のリムの上面と実質的に同じ高さである、請求項５に記載の蓋。
【請求項７】
前記中央突起が、好ましくは交差したスリットの形の、飲料分配開口を備える、請求項５または６に記載の蓋。
【請求項８】
前記周縁のリムが、その外側部分に、前記蓋を容器に配置するのを助けるように外側に放射状に傾斜するスカートを備える、請求項１から８のいずれか一項に記載の蓋。
【請求項９】
容器用の蓋またはクロージャの組立体であって、キャビティを内部に有する蓋、前記キャビティに収容される製品、および前記キャビティを閉じる脱着可能シールを備え、前記キャビティが、前記蓋を容器に固定するための隆起した周縁のリムによって囲まれる実質的に平らな基部を有し、前記蓋の基部がその上に、前記基部の上に隆起しかつ前記製品の支持を形成する相互接続リブの格子を有し、前記シールが前記リムに固定される、蓋またはクロージャの組立体。
【請求項１０】
フィルムまたはフィルム複合物が、必要に応じて不透明、有色、透明もしくは淡色であってよく、かつ／または情報、広告もしくは他のしるしを含むことができる、請求項９に記載の蓋。
【発明の詳細な説明】
【技術分野】
【０００１】
本発明は、飲用カップまたは他の蓋なし容器に使用される蓋またはクロージャに関し、このクロージャは、景品（ｐｒｅｍｉｕｍ）例えばデジタル・メディア・ディスクおよび／または広告材料などの製品を保持するためのコンパートメントを提供する。
【背景技術】
【０００２】
例えばメディア・ディスクである様々なアイテムを収納するためのコンパートメントを含む飲用容器用クロージャは既知である。ＵＳ４７４８２７には、様々な製品を保持するためのキャビティが間に形成される上側部材および下側部材から形成されるクロージャが示されている。ＥＰ１１２３２４５には、相互に係合可能な外側の周縁のリムによりスナップ留めする上側部材および下側部材を備える、もう一つのそうしたクロージャが示されている。部材間に形成されるコンパートメントは、メディア・ディスクを収容し、その底部は外側のリムより高くなっており、したがってコンパートメントの底部は容器内の任意の液体の水位より上に配置される。ＥＰ１６７３２８７には、部材のリムによって連結される２つの部材をさらに備え、コンパートメントが傾斜底部つきで形成される、さらに他のクロージャが示されている。ＵＳ７１００７８７には、蓋が基部付きで形成され、基部が、冷却用空気が蓋と景品の間を流れることができるように基部より上に景品を保持する複数の隆起スペーサを有する、メディア・ディスクおよび他の景品を収納するさらに他のクロージャが示されている。
【０００３】
上記のすべてのクロージャは、互いに協働してコンパートメントをそれらの間に形成するようにまたは製品を蓋に対して保持するように合わせられなければならない、少なくとも２つの分離可能構成要素を備え、製造および組立てが比較的高くつく。
【発明の概要】
【発明が解決しようとする課題】
【０００４】
本発明は、景品を収容することができる簡単な構造のクロージャを提供する。
【課題を解決するための手段】
【０００５】
本発明によれば、容器用の蓋またはクロージャであって、蓋が、一般的にカップである容器に蓋を固定するための隆起した周縁のリムによって囲まれる実質的に平らな基部があるキャビティを有し、蓋の基部がその上に、基部の上に隆起しかつキャビティに収容される品物の支持を形成する相互接続リブの格子を有し、キャビティが、使用のとき、リムに固定される脱着可能シールによって覆われる、蓋またはクロージャが提供される。
【０００６】
好ましくは、蓋は円形であり、リブは相互接続される円周方向リブおよび径方向リブを備えることができる。径方向リブおよび円周方向リブは、高さが異なってよく、好ましくは、円周方向リブが径方向リブより高さが高い。
【０００７】
蓋は、使用のときキャビティ内にメディア・ディスクを収容する場合、ディスクに形成される開口を受けるように寸法設定される直立中央突起を備えることができる。中央突起は、周縁のリムの上面と実質的に同じ高さである。
【０００８】
中央突起は、好ましくは交差したスリットの形の、飲料分配開口を備えることができる。
【０００９】
周縁のリムは、その外側部分に、使用のとき蓋を容器に配置するのを助け、蓋を所定位置に保持するように容器の口部を把持することもできる、外側に放射状に傾斜する可撓性スカートを備える。
【００１０】
蓋は、例えば熱成形、真空成形または射出成形である任意の適当なやり方によるポリスチレン、ＰＥＴなどの適当なプラスチック材料から形成されることができ、厚さは約０．２ｍｍである。
【００１１】
本発明の第２の態様は、容器用の蓋またはクロージャの組立体であって、キャビティを内部に有する蓋、キャビティに収容される製品、およびキャビティを閉じる脱着可能シールを備え、キャビティが、蓋を一般的にカップである容器に固定するための隆起した周縁のリムによって囲まれる実質的に平らな基部を有し、蓋の基部がその上に、基部の上に隆起しかつ製品の支持を形成する相互接続リブの格子を有し、シールがリムに固定される、蓋またはクロージャの組立体を提供する。
【００１２】
シールは薄いシールであり、アルミニウム箔もしくは例えばろう含浸紙である紙であるフィルムまたはフィルム複合物から形成されてよく、必要に応じて不透明または透明であってよく、かつ／あるいは情報、広告または他のしるしを含むことができる。
【００１３】
景品は、好ましくは、実質的に２次元であり、例えばカード、メディア・ディスクまたは広告である。
【００１４】
本発明を、添付の図面を参照して、以下に一例として説明する。
【図面の簡単な説明】
【００１５】
【図１】本発明による蓋を上から見た等角図である。
【図２】図１に示される蓋の平面図である。
【図３】図２の線ＩＩＩ−ＩＩＩにおける断面図である。
【図４】図３の丸で囲まれた領域Ｃの拡大詳細図である。
【図５】本来の場所である容器の口部上にある蓋組立体を示す、図２の線ＩＩＩ−ＩＩＩにおける断面図である。
【発明を実施するための形態】
【００１６】
図１〜４を参照して、図には、一般的にカップである容器１１（図５参照）用の、直径約５５ｍｍの円形の蓋またはクロージャ１０が示される。図５を参照して、図には、図１〜４の蓋を含む蓋組立体１１０が示される。蓋１０は、クロージャを容器１１に固定するための隆起した周縁のリム１２によって囲まれかつリムの内側に浅いキャビティ２１を形成する実質的に平らな基部１３を有する。蓋は、厚さ約０．２ｍｍの薄いプラスチック材料から形成される。蓋の平らな基部１３はその上に、キャビティ２１に収容される品物２０の支持を形成するように基部の上に隆起する相互接続リブ１４〜１９の格子を上に有する。
【００１７】
相互接続リブは、円周方向リブ１４、１５および４つの等角間隔で配置される径方向リブ１６〜１９を備えることができる。本実施形態では２つの円周方向リブおよび４つの径方向リブがあるが、蓋の寸法に応じて他の数のリブが形成されることができる。径方向リブ１６〜１９および円周方向リブ１４、１５の高さは異なってよく、好ましくは、円形リブ１４、１５上に位置する任意の製品２０が径方向リブから間隔を置いて配置されるように、円周方向リブが径方向リブより高さが高い。蓋１０は、使用のとき、クロージャ組立体３０の一部を形成し、そこにおいて製品２０がキャビティ２１に収容され、溶接または接着剤によってリム１２に固定される一般的にＰＥＴ（ポリエチレンテレフタレート）、アルミニウム箔、紙、ろう紙などのフィルムまたはフィルム複合物２２のような脱着可能な薄いシール２２によってキャビティ２１が覆われる。
【００１８】
本発明において、キャビティ２１は、デジタル・メディア・ディスク２０を内部に収容するのに使用される。蓋１０は、ディスク２０の中央に形成される開口３１を受けるように寸法設定される直立中央突起２３を備えることができる。中央突起２３は、周縁のリム１２の上面と実質的に同じ高さである実質的に平らな上面を有する。この場合、シール２２は、必要ならば突起２２の上面に接着または溶接されることもできる。
【００１９】
中央突起２３は、飲用ストローを入れることができるように好ましくは交差したスリットの形の飲料分配開口２４を備えることができる。突起は、メディア・ディスクを円周方向リブ上に保持する一方ディスクの簡単な解放を可能にする弾力のある移動止め２５（図３のみに図示）をさらに備えることができる。
【００２０】
周縁のリム１２は、その外側部分に、外側に放射状に傾斜する可撓性スカート２６を備える。スカート２６は、使用のとき、蓋を容器１１の口部に配置するのを助け、蓋を所定位置に保持するように容器を把持する。蓋は、例えば熱成形、真空成形、射出成形、マッチドダイ成形など任意の適当なプラスチック加工法によって形成されることができる。
【図１】
2010511574.tif 000003
【図２】
2010511574.tif 000004
【図３】
2010511574.tif 000005
【図４】
2010511574.tif 000006
【図５】
2010511574.tif 000007
【国際調査報告】
2010511574.tif 000008
2010511574.tif 000009
2010511574.tif 000010